(57)【特許請求の範囲】
【請求項１】
定電流が供給される空港の照明回路（１１）における品質が低下したフィラメント（３）の検出方法であって、
前記空港の照明回路（１１）に一定の実効電流の供給を開始するステップと、
前記一定の実効電流の供給を開始した開始時点における前記空港の照明回路（１１）の第一の抵抗値を測定するステップと、
前記開始時点から所定の時間が経過し、電流の値が定常状態に達した後に、前記空港の照明回路（１１）の第二の抵抗値を測定するステップと、
前記第二の抵抗値と前記第一の抵抗値の差を、しきい値（ΔＴｒ）と比較するステップと、
前記第二の抵抗値と前記第一の抵抗値の差が、前記しきい値（ΔＴｒ）以下になったときに、前記フィラメント（３）の品質が低下したと判定するステップと
を有することを特徴とする品質が低下したフィラメントの検出方法。
【請求項２】
前記フィラメント（３）を含む照明装置（４）が、前記第二の抵抗値と前記第一の抵抗値の差が前記しきい値（ΔＴｒ）以下のときに、取り換えられるように構成されたことを特徴とする請求項１に記載の品質が低下したフィラメントの検出方法。
【請求項３】
前記第二の抵抗値と前記第一の抵抗値のそれぞれが、照明回路（１１）を横切る電圧（ＵＬ）および前記照明回路（１１）と直列に配置された抵抗器を横切る電圧（ＵＬ）を測定することによって、決定され、こうして測定された電圧値間の商に、前記抵抗器の抵抗値が乗算された値が、前記照明回路（１１）の抵抗値に等しくなることを特徴とする請求項１または２に記載の品質が低下したフィラメントの検出方法。
【請求項４】
前記しきい値（ΔＴｒ）が、前記照明回路（１１）に供給される定電流の値によって異なる値に決定されることを特徴とする請求項１ないし３のいずれか１項に記載の品質が低下したフィラメントの検出方法。
【請求項５】
前記しきい値（ΔＴｒ）が、前記照明装置（４）の公称ワット数によって異なる値に決定されることを特徴とする請求項１ないし３のいずれか１項に記載の品質が低下したフィラメントの検出方法。
【請求項６】
前記しきい値（ΔＴｒ）が、定電流値のそれぞれに応じて、経験的に決定されることを特徴とする請求項４または５に記載の品質が低下したフィラメントの検出方法。
【請求項７】
定電流が供給される空港の照明回路（１１）における品質が低下したフィラメント（３）の検出装置であって、
前記空港の照明回路（１１）に一定の実効電流の供給を開始する電流供給手段と、
前記一定の実効電流の供給が開始された時点における前記空港の照明回路（１１）の第一の抵抗値を測定するとともに、前記開始時点から所定の時間が経過し、電流の値が定常状態に達した後に、前記空港の照明回路（１１）の第二の抵抗値を測定する抵抗測定手段と、
前記第二の抵抗値と前記第一の抵抗値の差を、しきい値（ΔＴｒ）と比較する比較手段と、
前記第二の抵抗値と前記第一の抵抗値の差が、前記しきい値（ΔＴｒ）以下になったときに、前記フィラメント（３）の品質が低下したと判定する判定手段と
を備えたことを特徴とする品質が低下したフィラメントの検出装置。
【請求項８】
前記フィラメント（３）を含む照明装置（４）が、前記第二の抵抗値と前記第一の抵抗値の差が前記しきい値（ΔＴｒ）以下のときに、交換されるように構成されたことを特徴とする請求項７に記載の品質が低下したフィラメントの検出装置。
【請求項９】
前記第二の抵抗値と前記第一の抵抗値のそれぞれが、照明回路（１１）を横切る電圧および前記照明回路（１１）と直列に配置された抵抗器を横切る電圧を測定することによって、決定され、こうして測定された電圧値間の商に、前記抵抗器の抵抗値が乗算された値が、前記照明回路（１１）の抵抗値に等しくなることを特徴とする請求項７または８に記載の品質が低下したフィラメントの検出装置。
【請求項１０】
前記しきい値（ΔＴｒ）が、前記照明回路（１１）に供給される定電流の値によって異なる値に決定されることを特徴とする請求項７ないし９のいずれか１項に記載の品質が低下したフィラメントの検出装置。
【請求項１１】
前記しきい値（ΔＴｒ）が、前記照明装置（４）の公称ワット数によって異なる値に決定されることを特徴とする請求項７ないし９のいずれか１項に記載の品質が低下したフィラメントの検出装置。
【請求項１２】
前記しきい値（ΔＴｒ）が、定電流値のそれぞれに応じて、経験的に決定されることを特徴とする請求項１０または１１に記載の品質が低下したフィラメントの検出装置。
【発明の詳細な説明】
【０００１】
（技術分野）
本発明は、一定の電流が供給される照明回路、とくに、空港の照明システムの白熱照明装置のフィラメントの品質低下を検出する方法および装置に関するものである。
【０００２】
（従来の技術）
空港において、飛行機の着陸および誘導滑走の間、飛行機を誘導するために、照明システムが用いられている。これらの照明システムは、きわめて多くの照明装置を備えており、故障した照明装置を、速やかに、とくに、視程が低い間に、交換することが重要である。そうでないと、飛行機が誘導路を見失い、停止信号が出されるという結果を招いてしまう。視覚的に、照明装置を検査することは、事故の危険があり、コストアップの原因にもなるので、自動的に、照明装置をモニターするシステムが開発されている。
【０００３】
これらの照明システムにおける照明装置は、絶縁トランスを用いたいわゆる直列回路に、しばしば、接続されている。かかる照明装置は、電力ケーブルを介して、直列に接続され、定電流調整器（ＣＣＲ）から、一定の電力が供給される。照明装置が輝いている間に、その明るさが低下していく。この現象は、一つには、通常、螺旋状をなしたフィラメントから、材料が蒸発して、ガラス電球上に昇華し、発光光の一部を吸収することに起因するものである。しかしながら、照明装置は、フィラメントから蒸発した材料が、再び、フィラメント上に昇華するように、設計されるため、このようなことが起こる確率は、かなり低い。
【０００４】
照明装置の品質が低下するより大きな原因は、フィラメントから蒸発した材料が、昇華して、隣接するフィラメントコイルの巻き部の間に、短絡ブリッジを形成することにある。一定の電流が供給される照明装置のフィラメントの一部が短絡すると、フィラメントの抵抗に比例する照明装置の公称ワット数が低下し、その結果、照明強度が低下する。最終的に、完全に短絡して、あるいは、フィラメントが破損されて、照明装置が破損する。照明装置に、一定の電圧が供給される場合は反対で、その公称ワット数は、フィラメントの抵抗に反比例し（強度≒ワット数２）、フィラメントが短絡すると、過度の電力の散逸に起因して、多かれ少なかれ、フィラメントがただちに燃えてしまう。
【０００５】
フィラメントの破損によって、照明装置が破損した場合には、照明装置に接続されている絶縁トランスの二次側のインピーダンスがきわめて高くなり、絶縁トランスの一次側および二次側に、高い電圧が発生する。高電圧は、絶縁トランスを通じて、供給される交流電流の各サイクルの始めに、生ずる。
【０００６】
しかしながら、使用される絶縁トランスは、絶縁トランスのコアが飽和した後に、短い時間にのみ、高電圧が現われるように、設計することができ、コアが飽和したときは、絶縁トランスのインピーダンスが低下するため、絶縁トランスを横切る電圧は、低い値に低下する。
【０００７】
フィラメントの短絡によって、照明装置が破損した場合には、絶縁トランスを横切る電圧は、わずかに低下するだけである。絶縁トランスと照明装置の間の長いケーブル中で、大きな電圧降下が生じた場合には、このことが妥当する。
【０００８】
販売されている公知の照明装置モニターシステムは、フィラメントの破損に起因する照明装置の欠陥を検出するように構成されている。一般的なタイプでは、電流、定電流によって供給された電圧および定電力源によって、直列回路に供給される電圧をモニターし、それによって、照明装置の故障に起因する回路中のインピーダンス変化を検出する。
【０００９】
別のタイプのモニターシステムは、各照明装置に設けられたモニターユニットを備え、モニターユニットは、絶縁トランスのコアが飽和する前の電流の半周期ごとに生ずる電圧降下を検出し、あるいは、単に、開回路における「電流ゼロ」の状態を検出するように構成されている。
【００１０】
部分的にあるいは完全に短絡したフィラメントを検出するシステムは存在しない。
【００１１】
照明装置は破損する前に、照明装置の品質は、相当に予測可能な形で、低下するので、照明装置の発光時間に基づいて、照明装置の破損を予測するシステムもある。直列回路がオンされてからの累積時間に関する記録が、各直列回路ごとに保持される。改良されたシステムでは、別個の累積時間記録が、最大電流値、あるいは、回路が起動される各電流値に対して、保持される。これらの記録に基づいて、照明装置が、ある経験的に確立された発光時間後に、取り換えられる。
【００１２】
複雑化させるファクターは、選択的に、照明装置をオン、オフが可能なシステム、すなわち、直列回路内のすべての照明装置が、同時に、オン、オフされないシステムが一般化しているということである。特定の瞬間に、飛行機に導くことは必要な照明装置だけが、同時に、オン、オフされるため、その発光時間と強度に基づいて、各照明装置の残りの寿命を予測することが、簡単ではなくなる。
【００１３】
本発明は、添付の独立した方法および装置クレームにしたがって、照明装置のフィラメントの品質低下を検出する方法および装置を提供するものである。本発明の実施態様は、添付の従属クレームによって、明確にされる。
【００１４】
（発明の要約）
本発明は、定電流が供給される空港の照明回路における品質が低下したフィラメントを検出することができる品質が低下したフィラメントの検出方法および装置を提供することを目的とするものである。
【００１５】
本発明の前記目的は、定電流が供給される空港の照明回路（１１）における品質が低下したフィラメント（３）の検出方法であって、
前記空港の照明回路（１１）に一定の実効電流の供給を開始するステップと、
前記一定の実効電流の供給を開始した開始時点における前記空港の照明回路（１１）の第一の抵抗値を測定するステップと、
前記開始時点から所定の時間が経過し、電流の値が定常状態に達した後に、前記空港の照明回路（１１）の第二の抵抗値を測定するステップと、
前記第二の抵抗値と前記第一の抵抗値の差を、しきい値（ΔＴｒ）と比較するステップと、
前記第二の抵抗値と前記第一の抵抗値の差が、前記しきい値（ΔＴｒ）以下になったときに、前記フィラメント（３）の品質が低下したと判定するステップと
を有することを特徴とする品質が低下したフィラメントの検出方法によって達成される。
照明回路を通じて、供給される定電流が変化し始めると、抵抗を、電流の変化とともに、一度、所定時間経過後に、一度、測定して、抵抗の測定値の差によって、前記抵抗の測定値の差としきい値とを比較することによって、照明装置のフィラメントの品質低下を検出する。
【００１６】
本発明の好ましい実施態様においては、前記フィラメント（３）を含む照明装置（４）が、前記第二の抵抗値と前記第一の抵抗値の差が前記しきい値（ΔＴｒ）以下のときに、取り換えられるように構成されている。
【００１７】
本発明のさらに好ましい実施態様においては、前記第二の抵抗値と前記第一の抵抗値のそれぞれが、照明回路（１１）を横切る電圧（ＵＬ）および前記照明回路（１１）と直列に配置された抵抗器を横切る電圧（ＵＬ）を測定することによって、決定され、こうして測定された電圧値間の商に、前記抵抗器の抵抗値が乗算された値が、前記照明回路（１１）の抵抗値に等しくなる。
【００１８】
本発明のさらに好ましい実施態様においては、前記しきい値（ΔＴｒ）が、前記照明回路（１１）に供給される定電流の値によって異なる値に決定される。
【００１９】
本発明の別の好ましい実施態様においては、前記しきい値（ΔＴｒ）が、前記照明装置（４）の公称ワット数によって異なる値に決定される。
【００２０】
本発明の好ましい実施態様においては、前記しきい値（ΔＴｒ）が、定電流値のそれぞれに応じて、経験的に決定される。
【００２１】
本発明の前記目的はまた、定電流が供給される空港の照明回路（１１）における品質が低下したフィラメント（３）の検出装置であって、
前記空港の照明回路（１１）に一定の実効電流の供給を開始する電流供給手段と、
前記一定の実効電流の供給が開始された時点における前記空港の照明回路（１１）の第一の抵抗値を測定するとともに、前記開始時点から所定の時間が経過し、電流の値が定常状態に達した後に、前記空港の照明回路（１１）の第二の抵抗値を測定する抵抗測定手段と、
前記第二の抵抗値と前記第一の抵抗値の差を、しきい値（ΔＴｒ）と比較する比較手段と、
前記第二の抵抗値と前記第一の抵抗値の差が、前記しきい値（ΔＴｒ）以下になったときに、前記フィラメント（３）の品質が低下したと判定する判定手段と
を備えたことを特徴とする品質が低下したフィラメントの検出装置によって達成される。
【００２３】
本発明の好ましい実施態様においては、前記フィラメント（３）を含む照明装置（４）が、前記第二の抵抗値と前記第一の抵抗値の差が前記しきい値（ΔＴｒ）以下のときに、交換されるように構成されている。
本発明のさらに好ましい実施態様においては、前記第二の抵抗値と前記第一の抵抗値のそれぞれが、照明回路（１１）を横切る電圧および前記照明回路（１１）と直列に配置された抵抗器を横切る電圧を測定することによって、決定され、こうして測定された電圧値間の商に、前記抵抗器の抵抗値が乗算された値が、前記照明回路（１１）の抵抗値に等しくなる。
本発明のさらに好ましい実施態様においては、前記しきい値（ΔＴｒ）が、前記照明回路（１１）に供給される定電流の値によって異なる値に決定される。
本発明の別の好ましい実施態様においては、前記しきい値（ΔＴｒ）が、前記照明装置（４）の公称ワット数によって異なる値に決定される。
本発明のさらに好ましい実施態様においては、前記しきい値（ΔＴｒ）が、定電流値のそれぞれに応じて、経験的に決定される。
【００２４】
（好ましい実施態様の説明）
本発明は、白熱照明装置を通じて、電流が供給されると、フィラメントが加熱され、フィラメントの抵抗が、フィラメントの温度の関数になるという事実を利用している。熱いフィラメントの抵抗は、冷たいフィラメントの抵抗の数倍である。照明装置を通じて、供給される電流の値が変化すると、電流が定常状態値に達した後、ある時間後に、典型的には、数秒後に、フィラメントの温度および抵抗は定常状態値に達する。
【００２５】
図１は、ＷＯ９４／１３１１９およびＷＯ９５／２４８２０として、公開され、ラース  ミルガードによって、本発明の譲受人に譲渡されたそれぞれ「パルス信号を送信するシステムおよび方法」および「直列ケーブル上の通信」という名称の関連する係属中の国際出願によって教示された原理にしたがった従来の空港照明システムを示すものである。本発明は、目的を遂行するために、かかるシステムを利用するものである。
【００２６】
図１に示された空港照明システムは、照明装置４のための多数の電流供給ループ２を備えている。図１においては、これらのループのうち、１つのループのみが、その全体が図示されている。各照明装置４は、絶縁トランス６の二次巻き線５および光モニタースイッチ（ＬＭＳ）１０を介して、対応するループ２に接続されている。絶縁トランス６の一次巻き線８は、電流供給ループ２に、直列に接続されている。各電流供給ループ２には、定電流レギュレーター（ＣＣＲ）１２により、通信直列回路モデム（ＳＣＭ）１４を介して、電流が供給される。集信ユニット（ＣＵ）１６が、通信ユニット１４のグループ１８に、マルチドロップ状に接続されている。ユニット１４および１６については、以下において、より詳細に説明を加える。
【００２７】
上述したＣＵユニット１６およびそれに関連する要素とは、サブユニット２０を形成し、サブユニット２０は、たとえば、空港照明システムのある部分に、振り向けることができる。照明システムは、必要な数のサブユニットを備えており、そのあるものが２０’、２０”で示されている。
【００２８】
サブユニット内のＣＵユニット１６は、マルチドロップモデムを介して、中央集信ユニット２２に接続されている。
【００２９】
中央ＣＵユニット２２は、ディスプレイ２５を備えたコンピュータ２４に接続可能に構成されている。コンピュータ２４を、さらに、たとえば、ローカルエリアネットワーク（ＬＡＮ）２６を介して、他のシステムに接続することができる。ユニット２２とコンピュータ２４は、たとえば、コントロール室２７内、あるいは、他の適当な場所に配置可能に構成されている。
【００３０】
ＳＣＭユニット１４は、ＬＭＳモジュールからの応答を検出し、応答のないモジュールのアドレスを、ローカルＣＵユニット１６を介して、中央ＣＵユニット２２に報告する。中央ＣＵユニット２２内において、アドレスは、コントロール室２７内のコンピュータ２４にアクセス可能なデータベース中に保存される。
【００３１】
ディスプレイ２５上に、故障した照明装置４の数および故障した照明装置の位置が表示可能に構成されている。コンピュータ２４を通じて、異なる警報基準を、中央集信ユニット２２にセットすることもできる。
【００３２】
ＬＭＳモジュールと関連する通信ユニットとの間の通信は、電力ケーブル内で、５０Ｈｚあるいは６０Ｈｚ電流に重ね合わされた高周波信号によって、実行される。
【００３３】
ＬＭＳモジュール１０のブロックダイアグラムが、図２に示されており、フィラメント３を備えた照明装置４が、絶縁トランス６の二次巻き線５を備えた回路に接続された状態が示されている。
【００３４】
ＬＭＳモジュール１０は、照明装置４に直列に接続され、照明回路内の電流を遮断するスイッチ３０を有するように、概略的に示されている。モジュール１０は、さらに、たとえば、スイッチ３０を制御するマイクロプロセッサなどのコントロール回路あるいは論理回路３２と、上述したアドレスを保存するアドレスメモリ３４と、ユニット１４から、同期信号を受信し、論理回路３２に転送する受信器３６を備えている。モジュール１０はまた、論理回路３２および受信器３６のための直列電源ユニット３８を有している。
【００３５】
また、コントロール回路３２によって制御されるスイッチ４２が、二次巻き線５上に、したがって、照明装置４と並列に接続されている。当業者には周知のように、スイッチ３０は、電界効果型トランジスタの使用を前提に、設計することができる。
【００３６】
各ＬＭＳモジュール１０のアドレスを格納するメモリとしては、ＰＲＯＭメモリを使用することができる。
【００３７】
本発明かかる方法は、照明電流の値の変化に関連して、図２に示される照明回路１１の抵抗を測定することから始まる。変化は、定電流レギュレーターの設定が変化したことに起因していても、モニターユニット内のスイッチング機能によって誘起され、必要な電流変化を生成する短絡破壊、いわゆる強度制御によるものであってもよい。
【００３８】
測定は、照明装置に供給される電流の値が変化したすぐ後に、少なくとも２回にわたり、実行される。最初の測定は、変化の直後に、２回目の測定は、電流の値が定常状態値に達したときに、それぞれ、実行され、得られた２つの抵抗値の差に基づいて、部分的にあるいは完全に短絡したかが判定される。限界値あるいはしきい値ΔＴｒ（図３参照）を、使用される電流値ごとに、経験的に確立することができる。
【００３９】
照明回路の抵抗を測定する一つの方法は、照明回路を横切る電圧および照明回路に直列に配置された抵抗器（図示せず）を横切る電圧を測定するステップを含んでいる。これらの電圧の間の商に、抵抗器の値が乗算された値は、照明回路の抵抗に等しい。
【００４０】
空港の照明に使用される照明装置の抵抗は、照明装置に供給するケーブルの抵抗と同じオーダーである。視界が悪い場合に、一般的に、用いられる電流である６．６Ａの電流が供給される４５Ｗの照明装置の抵抗は、１オームのオーダーである。視界がよい場合に、一般的に、用いられる電流である２．８Ａの電流が供給される同じ照明装置の抵抗は、約０．５Ωである。典型的な供給ケーブルは、２．５ｍｍ２の一対の導線に対し、約０．０１４の抵抗を有している。
【００４１】
照明装置がそれぞれ、モニターされるモニターシステムにおいては、モニターユニットは、照明装置とともに、配置されることはほとんどない。スペースがないため、モニターユニットは、トランスピット内に、絶縁トランスとともに、配置される。したがって、モニターユニットから照明装置への二次ケーブルは、典型的には、３０ないし４０ｍの長さを有し、それは、０．５Ωの抵抗に相当する。したがって、完全にフィラメントが短絡したことに起因する場合にも、抵抗の変化は、ケーブルの抵抗に比して、きわめて小さい。
【００４２】
さらに、ケーブルの抵抗は、ケーブルの温度の関数として、変化し、これが、インピーダンスを遠くから測定する際に、複雑化させるファクターとなる。
【００４３】
図３は、照明装置のフィラメントの経時変化を概略的に示すものである。フィラメントの抵抗を決定するためには、照明回路１１を横切る電圧ＵＬが、時間ｔに基づいて、測定される。
【００４４】
図３に概略的に示されるように、照明装置の品質が低下せず、あるいは、照明装置が部分的にも短絡しないときは、電圧ＵＬは、曲線４０のとおり、時間とともに、高い一定値を示す。一方、破線で示される曲線４２は、照明装置の品質が低下し、あるいは、照明装置が部分的に短絡したときの電圧の低下を示している。最後に、完全に短絡したときは、電圧ＵＬが低い一定値４４に低下することが示されている。冷たいフィラメントは、完全に短絡した照明装置４の一定の電圧値４４に対応する短絡した照明装置の抵抗値と一致する抵抗値を有している。
【００４５】
図３には示されていないが、部分的に短絡した照明装置４あるいは品質が低下した照明装置４の電圧降下の曲線４２は無数に存在することが認識されるべきである。
【００４６】
さらに、本発明は、定電流が供給される照明回路における照明装置のフィラメントの品質低下を検出するモニター装置を含んでいる。
【００４７】
モニター装置は、照明回路１１に接続された照明装置モニター手段１０を備え、照明回路を流れる定電流が変化し始めたことを検出する機能を一つの機能として有している。本実施態様においては、コントロールユニット３６は、電圧降下ΔＴｒを測定するように構成されている。さらに、図３に概略的に示されているように、しきい値の例として、ΔＴｒが、限界値あるいはしきい値としてセットされ、照明装置の品質低下に起因して、電圧ＵＬが、一定電圧レベル４２に低下したときに、ＬＭＳ回路と１０が、たとえば、ＣＵ２２に、照明装置を交換すべき旨の信号を出力するように、構成されている。
【００４８】
さらに、たとえば、電流の変化とともに１回、所定時間後に１回、上述のようにして、電圧レベルを測定することによって、照明回路１１を横切る抵抗値を決定する抵抗決定手段が設けられている。こうして決定された抵抗を決定し、評価するために、測定された抵抗値の差の値を測定する差測定手段と、抵抗の差の値を、差の値のしきい値と対比して、評価する評価手段が設けられている。
【００４９】
したがって、決定された抵抗の差の値は、上述の電圧降下の測定値から演繹される抵抗しきい値に対する照明装置のフィラメントの品質低下を示すものになる。これによって、レコードに保持されている以前の抵抗決定値あるいは測定値を不用なものにすることができる。したがって、測定値をしきい値と比較することによって、照明装置のフィラメントがどのくらい短絡したか、あるいは、照明装置のフィラメントの品質がどのくらい低下したかを、リアルタイムに、明らかにすることができる。
【００５０】
このようにして、抵抗値の差が、オームの法則によって、電圧しきい値ΔＴｒに比例する抵抗しきい値以下のときに、照明装置を交換することができる。
【００５１】
本発明の一つの実施態様においては、抵抗は、照明回路を横切る電圧および照明回路１１と直列に配置された抵抗器（図示せず）を横切る電圧を測定することによって、測定し、決定することができる。こうして決定された値の間の商に、抵抗器の値が乗算された値は、照明回路の抵抗に等しい。
【００５２】
別の実施態様においては、しきい値は、電流値によって異なっている。これによれば、高負荷、低負荷など、照明装置を含むループ２の操作条件の違いを考慮することができるという利点がある。空港照明システム用のループ２は、空港によって異なり、さらには、ループによっても異なるので、本発明の一つの実施態様においては、しきい値を、各電流値に対して、経験的に確立されることがわかる。
【００５３】
特定の実施態様とともに、本発明につき、説明を加えたが、上述したところおよび添付の請求範囲に照らせば、当業者にとって、その変更、修正、バリエーションが明らかであることは明白である。
【図面の簡単な説明】
【図１】  図１は、従来の空港照明システムを示す概略図である。
【図２】  図２は、従来の照明回路を示す概略図である。
【図３】  図３は、照明装置のフィラメントの抵抗の経時変化を示す概略図である。
【符号の説明】
２  ループ
４  照明装置
５  二次巻き線
６  絶縁トランス
８  一次巻き線
１２  定電流レギュレーター（ＣＣＲ）
１４  通信直列回路モデム（ＳＣＭ）
１６  集信ユニット（ＣＵ）
１８  通信ユニットのグループ
２０、２０’、２０”  サブユニット
２２  中央集信ユニット
２４  コンピュータ
２５  ディスプレイ
２６  ローカルエリアネットワーク（ＬＡＮ）
２７  コントロール室
３０  スイッチ
３２  コントロール回路あるいは論理回路
３４  アドレスメモリ
３６  受信器
３８  直列電源ユニット
【図１】
0004535621.tif 000002
【図２】
0004535621.tif 000003
【図３】
0004535621.tif 000004